(57)【要約】【課題】「ＡＡ７００」「ＡＡＡ１１００」「ＡＡＡ１３００」「ＡＡＡ１５００」などの、段ボール箱作製用シートとして常用される段ボールシートグレード毎の段ボール箱圧縮強さ（Ｓ）を、容易に把握することができる新規な計算尺を提供する。【解決手段】各短寸紙片５〜７を任意に折り返して、複数の段ボール箱圧縮強さ目盛線４ａ〜４ｄの中から、使用する段ボールシートに対応する何れか一つの目盛線を選択して表示し、周辺長目盛線２と高さ目盛線３における、作製しようとする段ボール箱の周辺長（Ｐ）と高さ（Ｈ）に相当する目盛り同士を指示材９の直線部９ａで結べば、選択された何れかの圧縮強さ目盛線４ａ〜４ｄと直線部９ａとの交点に、使用する段ボールシートのグレードと、作製しようとする段ボール箱の周辺長（Ｐ）及び高さ（Ｈ）とに対応した段ボール箱圧縮強さ（Ｓ）が示される。【選択図】  図１
0003108361.tif 000002
【実用新案登録請求の範囲】
【請求項１】
一枚の台紙（１）の表面に、段ボール箱の周辺長（Ｐ）の目盛線（２）と、該目盛線と平行に配置される段ボール箱の高さ（Ｈ）の目盛線（３）と、これら目盛線の間に平行に配置される段ボール箱の圧縮強さ（Ｓ）の目盛線（４ａ，４ｂ，４ｃ，４ｄ）を備え、該圧縮強さの目盛線は段ボールシートのグレード毎に複数備えられると共に、これら圧縮強さの目盛線（４ａ〜４ｄ）の中から何れか一つを選択し、段ボールシートのグレードと段ボール箱の周辺長（Ｐ）及び高さ（Ｈ）とから該段ボール箱の圧縮強さ（Ｓ）を把握する段ボール箱用圧縮強さ計算尺であって、
前記圧縮強さの目盛線（４ａ〜４ｄ）は、前記台紙表面に直接形成した第一の目盛線（４ａ）と、該第一の目盛線に重なるよう折り返し自在に前記台紙に綴じられる短寸紙片（５）に形成した第二の目盛線（４ｂ）と、前記短寸紙片（５）と重なるよう折り返し自在に前記台紙に綴じられる二枚目以降の短寸紙片（６，７）に形成した第三以降の目盛線（４ｃ，４ｄ）であり、
前記各短寸紙片（５〜７）を折り返すことで、前記第一〜第三以降の各目盛線（４ａ〜４ｄ）の内の何れか一つが選択して表示されるよう形成したことを特徴とする段ボール箱用圧縮強さ計算尺。
【請求項２】
前記周辺長の目盛線（２）には段ボール箱の周辺長（Ｐ）の目盛りが配分され、前記高さの目盛線（３）には段ボール箱の高さ（Ｈ）の目盛りが配分され、前記圧縮強さの各目盛線（４ａ〜４ｄ）には段ボールシートのグレード毎に対応した段ボール箱の圧縮強さ（Ｓ）の目盛りが配分され、且つ、前記各目盛りで示される周辺長（Ｐ）、高さ（Ｈ）、圧縮強さ（Ｓ）の各数値が、段ボール箱の圧縮強さを算出する式に従った相関関係をもって仮想直線（８）上に位置するよう配分されている請求項１記載の段ボール箱用圧縮強さ計算尺。
【請求項３】
前記周辺長の目盛線（２）には段ボール箱の周辺長（Ｐ）の目盛りが配分され、前記高さの目盛線（３）には段ボール箱の高さ（Ｈ）の目盛りが、目盛線（２）における目盛りの数値の増減と逆方向に配分され、前記圧縮強さの各目盛線（４ａ〜４ｄ）には段ボールシートのグレード毎に対応した段ボール箱の圧縮強さ（Ｓ）の目盛りが配分され、且つ、前記各目盛りで示される周辺長（Ｐ）、高さ（Ｈ）、圧縮強さ（Ｓ）の各数値が、下記式による相関関係をもって仮想直線（８）上に位置するよう配分されている請求項１記載の段ボール箱用圧縮強さ計算尺。
(式)
Ｓ＝Ａ・Ｐ０．５・Ｈ−０．１１７・（０．９６）２
Ｓ：段ボール箱の圧縮強さ（kgf）
Ａ：段ボールシートグレード別の箱圧縮強さの係数
Ｐ：段ボール箱の周辺長（mm）
Ｈ：段ボール箱の高さ（mm）
【請求項４】
前記段ボールシートグレード別の箱圧縮強さの係数（Ａ）が、ＡＡ７００グレードの段ボールシートでは９０、ＡＡＡ１１００グレードの段ボールシートでは１２５、ＡＡＡ１３００グレードの段ボールシートでは１４５、ＡＡＡ１５００グレードの段ボールシートでは１６０である請求項３記載の段ボール箱用圧縮強さ計算尺。
【請求項５】
前記仮想直線（８）を示す直線部（９ａ）を備えた指示材（９）を、前記台紙（１）に回動且つ摺動自在に取り付け、前記目盛線（２）における任意の周辺長目盛りと、前記目盛線（３）における任意の高さ目盛りとを前記直線部（９ａ）で結んだ際に、選択された前記何れかの目盛線（４ａ，４ｂ，４ｃ，４ｄ）と前記直線部（９ａ）との交点に、前記式で求められる、前記任意の周辺長目盛りの数値と前記任意の高さ目盛りの数値に対応する段ボール箱の圧縮強さ（Ｓ）の数値が示されるよう形成した請求項２又は３又は４記載の段ボール箱用圧縮強さ計算尺。
【請求項６】
前記台紙（１）の幅方向中央に折線（１０）を備え、該台紙（１）表面の一側（１ａ）に前記周辺長の目盛線（２）を、他側（１ｂ）に前記高さの目盛線（３）を夫々形成し、前記一側又は他側の前記折線（１０）近傍箇所に前記圧縮強さの第一の目盛線（４ａ）を形成すると共に、前記各短寸紙片（５〜７）を前記折線（１０）上に折り返し自在に綴じ、且つ前記周辺長の目盛線（２）又は高さの目盛線（３）と前記第一の目盛線（４ａ）との間に形成したスリット（１１）及び軸止部材（１２）により、前記指示材（９）を回動且つ摺動自在に支持して、前記台紙（１）が二つ折り自在で且つ前記指示材（９）が二つ折りの台紙中に収納されるよう形成した請求項１〜５の何れか１項記載の段ボール箱用圧縮強さ計算尺。
【考案の詳細な説明】
【技術分野】
【０００１】
本考案は、段ボール箱の天地圧縮強さ（以下、単に「圧縮強さ」と言う場合がある）を容易に把握することがでできる段ボール箱用圧縮強さ計算尺に関する。
【背景技術】
【０００２】
段ボール箱を設計する際の重要な要素の一つとして、その段ボール箱に要求される垂直方向（天地方向）の圧縮強さがあげられる。そして、該圧縮強さを算出するために用いられる数式として、マリーウルフ（Murray Wolf）の推定式が知られている。
【０００３】
ところで、近年、段ボール箱の作製には、Ａフルートの両面段ボールに片面段ボールを貼り合せた二層構造の所謂「ＡＡ」フルートの段ボールシートや、Ａフルートの両面段ボールに片面段ボールを二層貼り合せた三層構造の所謂「ＡＡＡ」フルートの段ボールシートが広く用いられている。さらに、これらグレードにおいて、その箱圧縮強さの相違により、「ＡＡ７００」、「ＡＡＡ１１００」、「ＡＡＡ１３００」、「ＡＡＡ１５００」といった区分けがされている。このように段ボールシートのグレードが複数存在する場合、各段ボールシート毎に、その厚さ，圧縮強さや、成形する段ボール箱の高さ，周辺長といった各要素を前記推定式にあてはめて段ボール箱の圧縮強さを求めなければならない。
【０００４】
すなわち、上記推定式で求められる圧縮強さは、用いる段ボールシートや段ボール箱の大きさなどの各要素に応じて変わってくるもので、これら要素の変更の度に計算をしなければならないばかりか、用いる段ボールシートの厚さや圧縮強さまでもを把握しておく必要があり、段ボールシートの種類が多い場合、計算が面倒であるという問題があった。このような問題を解消するために、例えば特許文献１、２等に開示されるような構成を基にし、段ボール箱用圧縮強さ計算尺を提供することも考えられる。
【０００５】
【特許文献１】特開昭６２−２４７４７６号公報
【特許文献２】実開昭６２−９８５８号公報
【考案の開示】
【考案が解決しようとする課題】
【０００６】
特許文献１に開示された計算尺は、固定側円盤、可動側円盤、カーソル付き目盛板などを回転自在に軸止した所謂同心円盤式の計算尺であって、このような構成の計算尺において、前記各円盤や目盛板に、段ボール箱の高さ（深さ）、周辺長、縦横比、圧縮強さや、段ボールシートのグレードなどを目盛りとして配分し、且つ任意の目盛りにカーソルを合せることで、前記推定式で得られる圧縮強さが把握できるよう構成することも考えられる。
しかし、このような構成の計算尺では、段ボールシートのグレード変更の度に可動側円盤やカーソル付き目盛板を回動させて順番に目盛り合せを行う必要があり、圧縮強さを容易に把握できるとは言い難いものであった。
【０００７】
そこで、本願考案者等は、段ボール箱形成用として常用される前記グレードの各段ボールシートにおける箱圧縮強さの係数「ＡＡ７００＝９０」、「ＡＡＡ１１００＝１２５」、「ＡＡＡ１３００＝１４５」、「ＡＡＡ１５００＝１６０」を用いた、前記マリーウルフの式を基にした下記換算式に着目した。
（式）
Ｓ＝Ａ・Ｐ０．５・Ｈ−０．１１７・（０．９６）２
Ｓ：段ボール箱の圧縮強さ（kgf）
Ａ：段ボールシートグレード別の箱圧縮強さの係数
Ｐ：段ボール箱の周辺長（mm）
Ｈ：段ボール箱の高さ（mm）
【０００８】
そうして、例えば特許文献２のような構成の板状計算尺において、板状目盛板に、周辺長（Ｐ）、高さ（Ｈ）、圧縮強さ（Ｓ）の目盛線を互いに平行に設けると共に、これら各目盛線上に、周辺長、高さ、圧縮強さの各数値が、前記換算式に従った相関関係をもって仮想直線状に位置するよう目盛りとして配分し、これにより、周辺長（Ｐ）の目盛線における任意の目盛りと、高さ（Ｈ）の目盛線における任意の目盛りとを仮想直線で結んだ際に、圧縮強さの目盛線上の前記仮想直線と交差する箇所に、前記換算式で得られる圧縮強さ（Ｓ）が目盛りとして配分されるよう形成し、段ボール箱の周辺長（Ｐ）と高さ（Ｈ）から圧縮強さ（Ｓ）が把握できる段ボール箱用圧縮強さ計算尺を考案した。
しかし、この場合でも、「ＡＡ７００」、「ＡＡＡ１１００」、「ＡＡＡ１３００」、「ＡＡＡ１５００」といった段ボールシートのグレード毎に一つ宛の計算尺が必要であり、複数の規格の段ボールシートに対応した段ボール箱圧縮強さ（Ｓ）を容易に把握することはできない。
【０００９】
本考案はこのような従来事情に鑑みてなされたもので、その目的とする処は、「ＡＡ７００」、「ＡＡＡ１１００」、「ＡＡＡ１３００」、「ＡＡＡ１５００」などの、段ボール箱作製用シートとして常用される段ボールシートグレード毎の段ボール箱圧縮強さ（Ｓ）を、一つの計算尺で容易に把握できるようにすることにある。
【課題を解決するための手段】
【００１０】
上記目的を達成するために、本考案に係る計算尺は、一枚の台紙（１）の表面に、段ボール箱の周辺長（Ｐ）の目盛線（２）と、該目盛線と平行に配置される段ボール箱の高さ（Ｈ）の目盛線（３）と、これら目盛線との間に平行に配置される段ボール箱の圧縮強さ（Ｓ）の目盛線（４ａ，４ｂ，４ｃ，４ｄ）を備え、該圧縮強さの目盛線は段ボールシートのグレード毎に複数備えられると共に、これら圧縮強さの目盛線（４ａ〜４ｄ）の中から何れか一つを選択し、段ボールシートのグレードと段ボール箱の周辺長（Ｐ）及び高さ（Ｈ）とから該段ボール箱の圧縮強さ（Ｓ）を把握する段ボール箱用圧縮強さ計算尺であって、
前記圧縮強さの目盛線（４ａ〜４ｄ）は、前記台紙表面に直接形成した第一の目盛線（４ａ）と、該第一の目盛線に重なるよう折り返し自在に前記台紙に綴じられる短寸紙片（５）に形成した第二の目盛線（４ｂ）と、前記短寸紙片（５）と重なるよう折り返し自在に前記台紙に綴じられる二枚目以降の短寸紙片（６，７）に形成した第三以降の目盛線（４ｃ，４ｄ）であり、
前記各短寸紙片（５〜７）を折り返すことで、前記第一〜第三以降の各目盛線（４ａ〜４ｄ）の内の何れか一つが選択して表示されるよう形成したことを特徴とする。
【００１１】
このように構成した場合、各短寸紙片（５〜７）を任意に折り返すことで、複数の圧縮強さの目盛線（４ａ〜４ｄ）の中から、使用する段ボールシートに対応する目盛線を選択して表示し、その後、周辺長の目盛線（２）と高さの目盛線（３）における、作製しようとする段ボール箱の周辺長（Ｐ）と高さ（Ｈ）に相当する数値の目盛り同士を、例えば仮想直線（８）で結べば、該仮想直線（８）と前記選択された圧縮強さの目盛線（４ａ〜４ｄ）との交点に、使用する段ボールシートのグレードと、作製しようとする段ボール箱の周辺長（Ｐ）及び高さ（Ｈ）とに対応する段ボール箱の圧縮強さ（Ｓ）が示される。
【００１２】
前記周辺長の目盛線（２）には段ボール箱の周辺長（Ｐ）の目盛りが配分され、前記高さの目盛線（３）には段ボール箱の高さ（Ｈ）の目盛りが配分され、前記圧縮強さの各目盛線（４ａ〜４ｄ）には段ボールシートのグレード毎に対応した段ボール箱の圧縮強さ（Ｓ）の目盛りが配分され、且つ、前記各目盛りで示される周辺長（Ｐ）、高さ（Ｈ）、圧縮強さ（Ｓ）の各数値が、段ボール箱の圧縮強さを算出する式に従った相関関係をもって仮想直線（８）上に位置するよう配分されている。前記式としては、この種技術分野において公知のケリカット（Kellicutt）式、マッキー（R.C.Mckee）式、マリーウルフ（Murray Wolf）式やこれらの換算式などを用いることができ、本願の請求項１、２では、いずれの式を用いてもよい。
【００１３】
本願の請求項３では、前記式として、下記換算式を選択している。
(式)
Ｓ＝Ａ・Ｐ０．５・Ｈ−０．１１７・（０．９６）２
Ｓ：段ボール箱の圧縮強さ（kgf）
Ａ：段ボールシートグレード別の箱圧縮強さの係数
Ｐ：段ボール箱の周辺長（mm）
Ｈ：段ボール箱の高さ（mm）
ここで、段ボールシートの衝撃あなあけ強さの係数（Ａ）は、段ボールシートがＡＡ７００グレードの場合Ａ＝９０、ＡＡＡ１１００グレードの場合Ａ＝１２５、ＡＡＡ１３００グレードの場合Ａ＝１４５、ＡＡＡ１５００グレードの場合Ａ＝１６０である。
【００１４】
また、前記仮想直線（８）の目安となる直線部（９ａ）を備えた指示材（９）を、前記台紙（１）に回動且つ摺動自在に取り付け、前記目盛線（２）における任意の周辺長目盛りと、前記目盛線（３）における任意の高さ目盛りとを前記直線部（９ａ）で結んだ際に、選択された前記何れかの目盛線（４ａ，４ｂ，４ｃ，４ｄ）と前記直線部（９ａ）との交点に、前記式で求められる、前記任意の周辺長目盛りの数値と前記任意の高さ目盛りの数値に対応する段ボール箱の圧縮強さ（Ｓ）の数値が示されるよう形成することが好ましい。
この場合、作製しようとする段ボール箱の周辺長（Ｐ）と高さ（Ｈ）に相当する目盛りを目盛線（２）、目盛線（３）から夫々選択し、これら目盛り同士を指示材（９）の直線部（９ａ）で結べば、該直線部（９ａ）と、選択した目盛線（４ａ〜４ｄ）との交点に、用いる段ボールシートに対応した段ボール箱の圧縮強さ（Ｓ）が示されるので、段ボール箱の圧縮強さ（Ｓ）をより簡便に把握することができる。
【００１５】
前記台紙（１）の幅方向中央に折線（１０）を備え、該台紙（１）表面の一側（１ａ）に前記周辺長の目盛線（２）を、他側（１ｂ）に前記高さの目盛線（３）を夫々形成し、前記一側又は他側の前記折線（１０）近傍箇所に前記圧縮強さの目盛線（４ａ）を形成すると共に、前記各短寸紙片（５〜７）を前記折線（１０）上に折り返し自在に綴じ、且つ前記周辺長の目盛線（２）又は高さの目盛線（３）と前記第一の目盛線（４ａ）との間に形成したスリット（１１）と軸止部材（１２）により、前記指示材（９）を回動且つ摺動自在に支持して、前記台紙（１）が二つ折り自在で前記指示材（９）が二つ折りの台紙中に収納されるよう形成することが好ましい。
この場合、二つ折り状の台紙（１）中に指示材（９）が収納されたコンパクトな計算尺として提供することが可能になる。
【考案の効果】
【００１６】
本考案の計算尺は以上説明したように構成したので、用いる段ボールシートのグレードに合せて、作製する段ボール箱の圧縮強さを容易に把握することができる。よって、グレードが異なる段ボールシート毎にその圧縮強さ、厚さなどを把握する必要なく、且つ、グレードが異なる段ボールシート毎に計算尺を用意すること無く、一つの計算尺により、段ボール箱の圧縮強さを容易に把握することができ、段ボール箱の設計に極めて有用に用いることができるなど、多くの効果を奏する。
【考案を実施するための最良の形態】
【００１７】
以下、本考案に係る段ボール箱用圧縮強さ計算尺の実施形態の一例を図１〜図５に基づいて説明する。本例の計算尺は、台紙１と、この台紙１の中央折線１０上に折り返し自在に綴じられた第１，第２，第３の短寸紙片５，６，７と、台紙１に回動且つ摺動自在に取り付けた指示材９から構成されている。
【００１８】
台紙１は、所定サイズの矩形状の板紙又は合成紙又は合成樹脂シートからなり、その幅方向中央に設けた折線１０で二つ折り自在になっており、その見開き面となる表面の一側１ａに段ボール箱の周辺長（Ｐ）の目盛線２が形成され、他側１ｂに段ボール高さ（Ｈ）の目盛線３が前記目盛線２と平行に形成されている。
目盛線２には、段ボール箱周辺長（Ｐ）を配分した目盛りが付されており、本例では、１０００ｍｍから５０００ｍｍまでの値の目盛りが付されている。
目盛線３には、段ボール高さ（Ｈ）を配分した目盛りが、目盛線２における目盛りの数値の増減と逆方向に付されており、本例では、１３００ｍｍから２００ｍｍまでの値の目盛りが付されている。
【００１９】
台紙１の一側１ａにおける折線１０の近傍箇所には、「ＡＡ７００」グレードの段ボールシートで作製した段ボール箱の圧縮強さ（Ｓ）の第一の目盛線４ａが、前記目盛線２及び目盛線３と平行に形成されている。
第一の目盛線４ａには、「ＡＡ７００」グレードの段ボールシートで作製した段ボール箱の圧縮強さ（Ｓ）を配分した目盛りが付されており、本例では、１０００kgfから３３００kgfまでの値の目盛りが付されている（図２参照）。
【００２０】
そして、前記各目盛線２，３，４ａに付された各目盛りは、周辺長（Ｐ）における任意の数値と、高さ（Ｈ）における任意の数値と、を結ぶ仮想直線８と目盛線４ａとの交点に、下記式で求められる段ボール箱圧縮強さ（Ｓ）の数値が示されるよう配分されている。
(式)
Ｓ＝Ａ１・Ｐ０．５・Ｈ−０．１１７・（０．９６）２
Ｓ：段ボール箱の圧縮強さ（kgf）
Ａ１（ＡＡ７００グレードの段ボール箱圧縮強さの係数）：９０
Ｐ：段ボール箱の周辺長（mm）
Ｈ：段ボール箱の高さ（mm）
【００２１】
表１に、「ＡＡ７００」グレードの段ボールシートで作製した段ボール箱における、上記式に基づく周辺長（Ｐ）、高さ（Ｈ）、圧縮強さ（Ｓ）の相関関係を示す。この表１は、台紙１の他側１ｂの適所１３に表示しておくと好ましい。
【００２２】
【表１】
0003108361.tif 000003
【００２３】
第１の短寸紙片５は、台紙１の折線１０上に折り返し自在に綴じられて、前記第一の目盛線４ａに重なるようになっており、その表面側に、第二の目盛線４ｂが形成されている。
第二の目盛線４ｂには、「ＡＡＡ１１００」グレードの段ボールシートで作製した段ボール箱の圧縮強さ（Ｓ）を配分した目盛りが付されており、本例では、１４００kgfから４５００kgfまでの値の目盛りが付されている（図３参照）。
【００２４】
そして、この第二の目盛線４ｂに付された各目盛りも、前記第一の目盛線４ａ同様、前記目盛線２の周辺長（Ｐ）の目盛りにおける任意の数値と、目盛線３の高さ（Ｈ）の目盛りにおける任意の数値と、を結ぶ仮想直線８との交点に、下記式で求められる段ボール箱圧縮強さ（Ｓ）の数値が示されるよう配分されている。
【００２５】
(式)
Ｓ＝Ａ２・Ｐ０．５・Ｈ−０．１１７・（０．９６）２
Ｓ：段ボール箱の圧縮強さ（kgf）
Ａ２（ＡＡＡ１１００グレードの段ボール箱圧縮強さの係数）：１２５
Ｐ：段ボール箱の周辺長（mm）
Ｈ：段ボール箱の高さ（mm）
【００２６】
表２に、「ＡＡＡ１１００」グレードの段ボールシートで作製した段ボール箱における、上記式に基づく周辺長（Ｐ）、高さ（Ｈ）、圧縮強さ（Ｓ）の相関関係を示す。この表２は、台紙１の他側１ｂの適所１４に表示しておくと好ましい。
【００２７】
【表２】
0003108361.tif 000004
【００２８】
第２の短寸紙片６は、台紙１の折線１０上に折り返し自在に綴じられて、前記第二の目盛線４ｂに重なるようになっており、その表面側に、第三の目盛線４ｃが形成されている。
第三の目盛線４ｂには、「ＡＡＡ１３００」グレードの段ボールシートで作製した段ボール箱の圧縮強さ（Ｓ）を配分した目盛りが付されており、本例では、２７００kgfから５３００kgfまでの値の目盛りが付されている（図４参照）。
【００２９】
そして、この第三の目盛線４ｃに付された各目盛りも、前記第一，第二の目盛線４ａ，４ｂ同様、前記目盛線２の周辺長（Ｐ）の目盛りにおける任意の数値と、目盛線３の高さ（Ｈ）の目盛りにおける任意の数値とを結ぶ仮想直線８との交点に、下記式で求められる段ボール箱圧縮強さ（Ｓ）が示されるよう配分されている。
(式)
Ｓ＝Ａ３・Ｐ０．５・Ｈ−０．１１７・（０．９６）２
Ｓ：段ボール箱の圧縮強さ（kgf）
Ａ３（ＡＡ１３００グレードの段ボール箱圧縮強さの係数）：１４５
Ｐ：段ボール箱の周辺長（mm）
Ｈ：段ボール箱の高さ（mm）
【００３０】
表３に、「ＡＡＡ１３００」グレードの段ボールシートで作製した段ボール箱における、上記式に基づく周辺長（Ｐ）、高さ（Ｈ）、圧縮強さ（Ｓ）の相関関係を示す。この表２は、台紙１の他側１ｂの適所１５に表示しておくと好ましい。
【００３１】
【表３】
0003108361.tif 000005
【００３２】
第３の短寸紙片７は、台紙１の折線１０上に折り返し自在に綴じられて、前記第三の目盛線４ｃに重なるようになっており、その表面側に、第四の目盛線４ｄが形成されている。
第四の目盛線４ｄには、「ＡＡＡ１５００」グレードの段ボールシートで作製した段ボール箱の圧縮強さ（Ｓ）を配分した目盛りが付されており、本例では、１９００kgfから５８００kgfまでの値の目盛りが付されている（図５参照）。
【００３３】
そして、この第四の目盛線４ｄに付された各目盛りも、前記第一〜第三の目盛線４ａ〜４ｃ同様、前記目盛線２の周辺長（Ｐ）の目盛りにおける任意の数値と、目盛線３の高さ（Ｈ）の目盛りにおける任意の数値と、を結ぶ仮想直線８との交点に、下記式で求められる段ボール箱圧縮強さ（Ｓ）が示されるよう配分されている。
(式)
Ｓ＝Ａ４・Ｐ０．５・Ｈ−０．１１７・（０．９６）２
Ｓ：段ボール箱の圧縮強さ（kgf）
Ａ４（ＡＡＡ１５００グレードの段ボール箱圧縮強さの係数）：１６０
Ｐ：段ボール箱の周辺長（mm）
Ｈ：段ボール箱の高さ（mm）
【００３４】
表４に、「ＡＡＡ１５００」グレードの段ボールシートで作製した段ボール箱における、上記式に基づく周辺長（Ｐ）、高さ（Ｈ）、圧縮強さ（Ｓ）の相関関係を示す。この表４は、台紙１の他側１ｂの適所１６に表示しておくと好ましい。
【００３５】
【表４】
0003108361.tif 000006
【００３６】
指示材９は、直線部９ａを備えた長方形状の透明板からなり、台紙１の一側１ａにおける、目盛線２と第一の目盛線４ａとの間に形成したスリット１１と軸止部材１２により、回動且つ摺動自在に支持されており、未使用時には一側１ａと他側１ｂの間に挟まれて、二つ折りにした台紙１中に収納されるようになっている。
尚、本例では指示材９の側縁を直線部９ａとしたが、指示材９中に設けた不図示の直線を直線部９ａとすることもできる。
【００３７】
以上の構成になる本例の計算尺は、段ボールシートのグレード別の段ボール箱圧縮強さ（Ｓ）を示す目盛線４ａ〜４ｄを複数備え、短寸紙片５〜７を折り返すことで、段ボールシートの規格に合せて、任意の目盛線４ａ〜４ｄを選択して表示することができる。
【００３８】
また、夫々の目盛線４ａ〜４ｄには、前述した式による相関関係をもって、目盛線２上の段ボール箱周辺長（Ｐ）及び目盛線３上の段ボール箱高さ（Ｈ）とを結ぶ仮想直線８上に位置するよう、段ボール箱の圧縮強さ（Ｓ）が目盛りとして配分されている。
すなわち、目盛線２上の段ボール箱周辺長（Ｐ）、目盛線３上の段ボール箱高さ（Ｈ）、目盛線４ａ〜４ｄ上の段ボール箱圧縮強さ（Ｓ）の各数値が、前記式による相関関係をもって、仮想直線８上に位置するよう構成されている。
【００３９】
よって、「ＡＡ７００」グレードの段ボールシートを用いる場合は、図２に示すように、短寸紙片５〜７を他側１ｂ方向へ折り返して目盛線４ａを表示させた後、作製しようとする段ボール箱の周辺長と高さの数値に対応する目盛りＰ１（図示例では２５００ｍｍ），Ｈ１（図示例では８００ｍｍ）を夫々目盛線２，３上から選択し、指示材９を回動且つ摺動させて、前記目盛りＰ１，Ｈ１を直線部９ａ（仮想直線８）で結ぶと、この直線部９ａと目盛線４ａとの交点に、「ＡＡ７００」グレードの段ボールシート製で、周辺長２５００ｍｍ、高さ８００ｍｍの段ボール箱の圧縮強さＳ１、すなわち約１８９７kgfを読み取ることができる。
【００４０】
「ＡＡＡ１１００」グレードの段ボールシートを用いる場合は、図３に示すように、短寸紙片５のみを一側１ａ方向へ折り返して目盛線４ｂを表示させた後、作製しようとする段ボール箱の周辺長と高さの数値に対応する目盛りＰ１（図示例では３０００ｍｍ），Ｈ１（図示例では１０００ｍｍ）を夫々目盛線２，３上から選択し、前記と同様にして目盛りＰ１，Ｈ１を直線部９ａ（仮想直線８）で結ぶと、この直線部９ａと目盛線４ｂとの交点に、「ＡＡＡ１１００」グレードの段ボールシート製で、周辺長３０００ｍｍ、高さ１０００ｍｍの段ボール箱の圧縮強さＳ１として、約２８１２kgfを読み取ることができる。
【００４１】
「ＡＡＡ１３００」グレードの段ボールシートを用いる場合は、図４に示すように、短寸紙片５と６を一側１ａ方向へ折り返して目盛線４ｃを表示させた後、作製しようとする段ボール箱の周辺長と高さの数値に対応する目盛りＰ１（図示例では３０００ｍｍ），Ｈ１（図示例では１０００ｍｍ）を夫々目盛線２，３上から選択し、前記と同様にして目盛りＰ１，Ｈ１を直線部９ａ（仮想直線８）で結ぶと、この直線部９ａと目盛線４ｃとの交点に、「ＡＡＡ１３００」グレードの段ボールシート製で、周辺長３０００ｍｍ、高さ１０００ｍｍの段ボール箱の圧縮強さＳ１として、約３２６２kgfを読み取ることができる。
【００４２】
「ＡＡＡ１５００」グレードの段ボールシートを用いる場合は、図５に示すように、短寸紙片５と６を一側１ａ方向へ折り返して目盛線４ｄを表示させた後、作製しようとする段ボール箱の周辺長と高さの数値に対応する目盛りＰ１（図示例では２５００ｍｍ），Ｈ１（図示例では８００ｍｍ）を夫々目盛線２，３上から選択し、前記と同様にして目盛りＰ１，Ｈ１を直線部９ａ（仮想直線８）で結ぶと、この直線部９ａと目盛線４ｄとの交点に、「ＡＡＡ１５００」グレードの段ボールシート製で、周辺長２５００ｍｍ、高さ８００ｍｍの段ボール箱の圧縮強さＳ１として、約３３７３kgfを読み取ることができる。
【００４３】
以上、本考案の実施形態の一例を図面を参照して説明したが、本考案に係る段ボール箱用圧縮強さ計算尺は図示例に限定されず、段ボールシートのグレードの変更や用いる式（推定式，換算式）の変更などに伴い、各目盛線２，３，４ａ〜４ｄを適宜に変更するなど、実用新案登録請求の範囲に記載された技術的思想の範疇において種々の変更が可能であることは言うまでもない。
【図面の簡単な説明】
【００４４】
【図１】本考案に係る計算尺の実施形態の一例を示す斜視図。
【図２】「ＡＡ７００」グレードの段ボールシートで作製される段ボール箱の圧縮強さを把握する場合の使用状態を示す平面図。
【図３】「ＡＡＡ１１００」グレードの段ボールシートで作製される段ボール箱の圧縮強さを把握する場合の使用状態を示す平面図。
【図４】「ＡＡＡ１３００」グレードの段ボールシートで作製される段ボール箱の圧縮強さを把握する場合の使用状態を示す平面図。
【図５】「ＡＡＡ１５００」グレードの段ボールシートで作製される段ボール箱の圧縮強さを把握する場合の使用状態を示す平面図。
【符号の説明】
【００４５】
１：台紙
１ａ：一側
１ｂ：他側
２：段ボール箱の周辺長（Ｐ）の目盛線
３：段ボール箱の高さ（Ｈ）の目盛線
４ａ，４ｂ，４ｃ，４ｄ：段ボール箱の圧縮強さ（Ｓ）の目盛線
５，６，７：短寸紙片
８：仮想直線
９：指示材
９ａ：直線部
１０：折線
１１：スリット
１２：軸止部材
【図１】
0003108361.tif 000007
【図２】
0003108361.tif 000008
【図３】
0003108361.tif 000009
【図４】
0003108361.tif 000010
【図５】
0003108361.tif 000011